(57)【要約】  本発明は、接触式のドアスイッチ、特にスイッチビアキャビネット用接触式ドアスイッチであって、スイッチプランジャ（１１）と、ベースプレート（１０）と、前記スイッチプランジャ（１１）を収納するスイッチハウジング（１２）と、を備え、前記スイッチハウジング（１２）は、ベースプレート（１０）に対して変位可能に設けられている、接触式のドアスイッチに関する。少なくとも２つの異なる位置において、ベースプレート（１０）がスイッチハウジング（１２）を用いて係止可能であるように、ベースプレート（１０）の少なくともひとつの端部（２６）は、少なくともひとつのベースプレートスナップイン部（２４）を備え、スイッチハウジング（１２）は、少なくともひとつのベースプレートスナップイン部（１９）を備える。
2015534249.tif 000002
【特許請求の範囲】
【請求項１】
接触式のドアスイッチ、特にスイッチギアキャビネット用接触式ドアスイッチであって、
スイッチプランジャ（１１）と、
ベースプレート（１０）と、
前記スイッチプランジャ（１１）を収納し、且つ、前記ベースプレート（１０）に対して変位可能に設けられているスイッチハウジング（１２）と、
を備え、
前記ベースプレート（１０）の少なくともひとつの端部（２６）が少なくともひとつのベースプレート戻り止め歯（２４）を備えるとともに、前記スイッチハウジング（１２）が少なくともひとつのスイッチハウジング戻り止め部（１９）を備えており、少なくとも２つの異なる位置において、前記ベースプレート（１０）が前記スイッチハウジング（１２）に係止可能にされている、接触式のドアスイッチ。
【請求項２】
２つのベースプレート戻り止め部２４が設けられ、前記ベースプレート戻り止め部２４は、対向するベースプレート端部（２６）に配置されている、請求項１に記載の接触式のドアスイッチ。
【請求項３】
少なくともひとつのベースプレート戻り止め部（２４）は、少なくともひとつのベースプレート戻り止め歯（２３）、好ましくは少なくとも２つのベースプレート戻り止め歯（２３）を備え、前記ベースプレート戻り止め歯（２３）は、内側に向けられているのがより好ましく、および／または、
少なくともひとつのスイッチハウジング戻り止め部（１９）は、少なくともひとつのスイッチハウジング戻り止め歯（２０）、好ましくは少なくとも２つのスイッチハウジング戻り止め歯（２０）を備え、前記スイッチハウジング戻り止め歯（２０）は、外側に向けられているのがより好ましい、請求項１または請求項２に記載の接触式のドアスイッチ。
【請求項４】
少なくともひとつのベースプレート戻り止め歯（２４）は、少なくともひとつの枢動可能な戻り止めレバー（２５）を備える、請求項１から請求項３のいずれか一項に記載の接触式のドアスイッチ。
【請求項５】
前記ベースプレート（１０）は、前記スイッチハウジング（１２）が滑動可能な少なくともひとつのスライドレール（２９）を備え、少なくともひとつのベースプレート戻り止め部（２４）は、スライドレール（２９）領域内に配置されていることが好ましい、請求項１から請求項４のいずれか一項に記載の接触式のドアスイッチ。
【請求項６】
前記ベースプレート（１０）は、ベースプレート位置決め部（３１）、特に少なくともひとつのベースプレート位置決め凹部（３１）を備え、
前記ベースプレート位置決め部（３１）は、ラッチングに先立って所定の位置を設定することができるように、少なくともひとつの対応するスイッチハウジング位置決め部、特に少なくともひとつのベースプレート位置決め凸部と協働する、請求項１から請求項５のいずれか一項に記載の接触式のドアスイッチ。
【請求項７】
圧力を内側に加えることによりラッチングが可能となるように、および／または、圧力を外側に加えることによりラッチングの解除が可能となるように、ベースプレート戻り止め部（２４）およびスイッチハウジング戻り止め部（１９）が形成されている、請求項１から請求項６のいずれか一項に記載の接触式のドアスイッチ。
【請求項８】
少なくともひとつのスイッチハウジング戻り止め部（１９）は、前記ベースプレート（１０）の内側の面から前記スイッチハウジング方向に突出する、請求項１から請求項７のいずれか一項に記載の接触式のドアスイッチ。
【請求項９】
前記スイッチハウジング（１２）は、スイッチプランジャ（１１）とは反対側に張力緩和具（Ｚ，Ｚ’）を備える、請求項１から請求項８のいずれか一項に記載の接触式のドアスイッチ。
【請求項１０】
前記張力緩和具（Ｚ’）は、軸（Ａ）に沿って変位可能に設けられ、且つ、旋回軸の回りを枢動可能に設けられているロッカー素子（３９）を備える、請求項９に記載の接触式のドアスイッチ。
【請求項１１】
前記ロッカー素子（３９）は、本体部（３８）において固定させるための固定手段（４１）が貫通する貫通開口部（４０）を有する、請求項９または請求項１０に記載の接触式のドアスイッチ。
【請求項１２】
前記ロッカー素子（３９）は、ケーブルを固定させる少なくとも２つのロッカー部（３９ａ，３９ｂ）を有し、前記ロッカー部（３９ａ，３９ｂ）は、前記固定手段（４１）の縦軸に関して対称に配置されており、また、使用時にケーブル側を向く凸状丸み部を有する、請求項９から請求項１１のいずれか一項に記載の接触式のドアスイッチ。
【請求項１３】
少なくとも２つのロッカー部（３９ａ，３９ｂ）それぞれは、本体部（３８）のガイドピン（４６）が係合するガイド溝（４５）を有する、請求項９から請求項１２のいずれか一項に記載の接触式のドアスイッチ。
【請求項１４】
前記ロッカー部（３９ａ，３９ｂ）それぞれは、少なくともひとつの凸状丸み部（ｋＡ）と、凸状丸み部の反対側にある少なくともひとつの凹状くぼみ部（ｋＥ）と、を有す
る、請求項９から請求項１３のいずれか一項に記載の接触式のドアスイッチ。
【請求項１５】
枢動可能に設けられている張力緩和具（Ｚ’）を備える、請求項１から請求項１４のいずれか一項に記載の接触式のドアスイッチ。
【発明の詳細な説明】
【技術分野】
【０００１】
本発明は、接触式のドアスイッチ、特に、スイッチプランジャと、ベースプレートと、ベースプレートに対して変位可能に設けられている、スイッチプランジャを収容するスイッチハウジングと、を備えるスイッチギアキャビネット用接触式ドアスイッチに関する。
【背景技術】
【０００２】
接触式のドアスイッチは、特にスイッチギアキャビネットにおいて、インテリア照明を起動させるため及び他のスイッチ機能のために用いられる。接触式のドアスイッチは、ベースプレートと、スイッチプランジャを収納するベースプレートに対して変位可能なハウジングとを有するものが知られている。スイッチハウジングは、特定の相対位置を設定するために、ベースプレートにネジ止めされてもよい。このことを達成するために、ベースプレートおよびスイッチハウジングに孔が設けられ、当該孔の中にねじを入れることができる。スイッチプランジャの距離は、このような方法で調整することが可能である。
【発明の概要】
【発明が解決しようとする課題】
【０００３】
しかしながら、概して、前記のような調整は、比較的複雑であることがわかる。したがって、本発明は、ベースプレートに対するスイッチハウジングの位置を簡単な手段を用いて調整可能な接触式のドアスイッチを提供することを目的とする。
【課題を解決するための手段】
【０００４】
本発明の目的は、請求項１に記載の接触式のドアスイッチによって達成される。  
【０００５】
本発明の目的は、接触式のドアスイッチによって達成され、望ましくは、スイッチプランジャと、ベースプレートと、前記スイッチプランジャを収容するハウジングと、を備えるスイッチギアキャビネット用接触式ドアスイッチであって、前記スイッチハウジングは、ベースプレートに対して変位可能に設けられており、少なくとも２つの異なる位置において、ベースプレートがスイッチハウジングに係止可能となるように、前記ベースプレートの少なくともひとつの端部は、少なくともひとつのベースプレート戻り止め部を備え、前記スイッチハウジングは、少なくともひとつのスイッチハウジング戻り止め部を備える、スイッチギアキャビネット用接触式ドアスイッチによって達成される。
【０００６】
本発明の核となる構想は、ベースプレート戻り止め部をベースプレートの端部に設けることにある。したがって、ベースプレートとスイッチハウジングとの間の相対位置の調整を、極めて簡単な方法で設定することができる。ベースプレート戻り止め部が比較的容易にアクセス可能である一方で、戻り止め部を設けることによって、特定の位置における係止を迅速に且つ単純な方法で提供することができる。
【０００７】
通常、「ベースプレート」という用語は、ベースプレートの上側および／または下側に適宜突出する突出部をベースプレートが有することを除外することを意図するものではない。しかしながら、ベースプレートは完全に平らであり、すなわち、上側または下側に突出する突出部を有さない、と考えられる。高さ方向のベースプレートの最大伸長は、最大で横（高さ方向に対して垂直）方向（例えば、長さ方向および／または幅方向）の最大伸長の１０％が好ましい。「端部」は、ベースプレートの外側と内側との間の中間領域であることが好ましく、外側は、スイッチハウジングの反対側を向く側であり、内側は、スイッチハウジングの方を向いている側であると理解されるべきである。
【０００８】
少なくとも２つのベースプレート戻り止め部が設けられることが好ましく、それらは対向する端部に配置されている。このような配置により、極めて容易に（手動で）ラッチングを行い、また解除することができる。ベースプレートとスイッチハウジングとの間の相対位置の設定がさらに簡素化される。特に、片手のみを用いて、ラッチングまたはラッチングの解除が極めて容易に可能となる。
【０００９】
ある特定の実施形態において、少なくともひとつのベースプレート戻り止め部は、少なくともひとつのベースプレート戻り止め歯を有してもよく、少なくとも２つのベースプレート戻り止め歯を有するのがより好ましい。少なくともひとつのベースプレート戻り止め歯は、内側に向けられてもよい。あるいはまたはさらに、少なくともひとつのスイッチハウジング戻り止め部は、少なくともひとつの戻り止め歯または少なくとも２つの戻り止め歯を有する。スイッチハウジング戻り止め歯は、外側に向けられるのが好ましい。あるいは、ベースプレート戻り止め歯は、外側に向けられ、および／または、スイッチハウジング戻り止め歯は、外側に向けられる、ことが考えられる。このような戻り止め歯を配置することによって、ある選択的な位置における係止がさらに簡素化される。ベースプレート戻り止め歯が内側に向けられる場合、作業者の親指および／または他の指を用いて圧力を加えること等により、ベースプレート戻り止め部が内側に押し出されるという単純な方法で係止を実行することができる。全体的に、相対位置の調整がさらに簡素化される。
【００１０】
ある特定の実施形態において、少なくともひとつのベースプレート戻り止め部は、少なくともひとつの枢動可能な戻り止めレバーを有する。あるいはまたはさらに、スイッチハウジングは、少なくともひとつの枢動可能な戻り止めレバーを有してもよい。ベースプレート戻り止め部の枢動可能な戻り止めレバーは、相対位置を設定するために、ラッチングの設定および解除をさらに容易にする。少なくともひとつのベースプレート戻り止め歯または少なくとも２つのベースプレート戻り止め歯が、戻り止めレバーの内側に配置されるのが好ましい。戻り止めレバーを内側に回転すると、ラッチングが設定される。戻り止めレバーを外側に回転すると、ラッチングが解除される。「内側への」回転は、ベースプレートの中心方向（例えば、中心軸または中心対称軸）への回転を特に意味すると理解されるべきである。したがって、戻り止めレバーの内側は、ベースプレートの中心方向を向く。ある特定の実施形態において、戻り止めレバーの内側の面は、ベースプレートの内側の面に対して垂直に位置している。戻り止めレバーの少なくともひとつの戻り止め歯または少なくとも２つの戻り止め歯は、戻り止めレバーの幅全体にまでは延びないが、戻り止めレバーの最大で８０％または６０％にまで延説されることが特に好ましい。係止を解除するために戻り止めレバーを外側に押すことができるように、戻り止めレバーと、スイッチハウジングまたは他のベースプレート部品との間の隙間に作業者が介入するという点で、ラッチされた状態において、極めて容易に係止を解除することができる。係止された状態では、戻り止めレバーと、スイッチハウジングまたはベースプレートの隣接する部品との間の距離は、少なくとも２ｍｍであってもよく、少なくとも４ｍｍが好ましい。
【００１１】
好ましい実施形態において、ベースプレートは、少なくともひとつのスライドレールを有し、スイッチハウジングは、当該スライドレール内（または当該スライドレール上）でスライドすることができる。少なくともひとつのベースプレート戻り止め部は、スライドレール（内の）領域に配置されるのが好ましい。このようなスライドレールによって、相対位置または事前位置決めを比較的容易に設定することができる。ベースプレート戻り止め部は、スライドレール領域またはスライドレール内の領域に配置されるため、構造が全体的により薄くなり且つ簡素化され、これによって、構造面でのコストが削減される。  
【００１２】
ベースプレートは、少なくともひとつのベースプレート位置決め部、特に少なくともひとつのベースプレート位置決め凹部（および／またはベースプレート位置決め突出部）を有してもよい。少なくともひとつのベースプレート位置決め部、特に少なくともひとつのベースプレート位置決め凹部は、戻り止め部によるラッチングに先立って所定の位置を設定することができるように、少なくともひとつの対応するスイッチハウジング位置決め部、特に少なくともひとつのスイッチハウジング位置決め突出部（および／またはスイッチハウジング位置決め凹部）と協働する。（戻り止め部に加えて）このように設けられているベースプレート位置決め部および／またはスイッチハウジング位置決め部の効果は、簡単な手段を用いて特定の位置を画定することができることにある。前記特定の位置においては、摩擦なくラッチングが可能であることが保証される。
【００１３】
一般的な構想に従って、内側に圧力をかけることによってラッチングが可能となるように、および／または、外側に圧力をかけることによってラッチングの解除が可能となるように、少なくともひとつのベースプレート戻り止め部および少なくともひとつのスイッチハウジング戻り止め部を形成することができる。
【００１４】
ある特定の実施形態において、少なくともひとつのベースプレート戻り止め部は、ベースプレートの内側の面（即ち、スイッチハウジングの方を向く面）から突出している。このような突出構造によって、ラッチングの解除がさらに簡素化され、戻り止め部の取扱いが全体的に容易となる。
【００１５】
原則として、プランジャの移動経路は、戻り止め歯の戻り止めの距離を用いて調整される場合が好ましい。スイッチハウジングの戻り止め歯（ラッチング）の数が多いほど、微調整が改善され、および／または、より長い調整経路につながる。原則として、ラッチングは、どんなに細いものにおいても行うことができる。原則として、より細かい戻り止めの距離は、更なるプランジャの機能に応じて効果的になり得る。
【００１６】
さらに、接触式のドアスイッチ、特にスイッチハウジングは、スイッチハウジングからケーブルが抜ける、または、はずれることを防ぐように、スイッチプランジャとは反対側に張力緩和具を備えてもよい。張力緩和具は、軸に沿って変位可能に、且つ、旋回点の回りを枢動可能に設けられているロッカー素子を備えると、特に効果的である。このように、張力緩和具は、ある程度自己調整が可能であり、広範囲の太さのケーブルと共に様々な組み合わせで使用することができる。この目的のためのロッカー素子は、固定手段が貫通する貫通孔を有することが好ましい。また、ロッカー素子は、固定手段の縦軸に対して対称的に配置され、且つ、使用時にケーブル側を向く凸状丸み部を有する、少なくとも２つの固定ケーブル用ロッカー部品を備えてもよい。また、少なくとも２つのロッカー部品それぞれは、本体のガイドピンが係合するガイド溝を有してもよい。したがって、ロッカー素子の旋回運動を最適な方法で行うことができる。
【００１７】
上記の目的を達成するために、枢動可能に設けられている張力緩和具を備える、特に請求項１のプリアンブルに係る接触式のドアスイッチおよび請求項１〜８のいずれかに記載の接触式のドアスイッチが提案されている。
【００１８】
更なる実施形態は、従属項から明らかになる。
【００１９】
以下、添付の概略図を参照しながら、例示的な実施形態に基づいて本発明をより詳細に説明する。  
【図面の簡単な説明】
【００２０】
【図１】接触式のドアスイッチの概略斜視図である。
【図２】接触式のドアスイッチの概略分解図である。
【図３】接触式のドアスイッチの概略（部分）分解図である。
【図４】接触式のドアスイッチの概略（部分）分解図である。
【図５】戻り止めレバーを示す図である。
【図６】接触式のドアスイッチの更なる実施形態の斜視図である。
【図７】図６に係る接触式のドアスイッチの正面図である。
【図８】図６に係る接触式のドアスイッチの平面図である。
【図９】図６に係る接触式のドアスイッチの側面図である。
【発明を実施するための形態】
【００２１】
以下の説明において、類似の部分および同等に機能する部分に関しては、同一の参照符号が用いられる。
【００２２】
図１は、概略斜視図において、第１の実施形態に係る接触式のドアスイッチを示している。接触式のドアスイッチは、ベースプレート１０と、スイッチプランジャ１１と、スイッチハウジング１２と、カバー１３と、を備える。図２は、接触式のドアスイッチの概略分解図である。スイッチプランジャ１１は、スイッチハウジング１２内に設けられ、バネ１４によって付勢されている。バネ１４は、（例えば、閉められたドアが原因となって、対抗する力が存在しない場合に）スイッチハウジング１２からスイッチプランジャ１１を押し出す。スイッチプランジャ１１は、プリント基板１６の近接スイッチ（スナップアクションスイッチ１５）を面取りされた乗上り面（図示せず）上で移動させる。したがって、信号はトリガされ、接続端末１７に固定される、接触部（接続端末）１７および、１つまたは複数のケーブル（図示せず）を介して、（例えば、照明システム用電気回路を遮断するように）さらに処理されてもよい。ケーブルは、張力緩和具Ｚを用いて固定される。張力緩和具Ｚは、ベースプレート１０の反対側を向いている表面Ｏにおいて、スイッチプランジャ１１とは反対側の、スイッチハウジング１２の端部に設けられる。ここで、張力緩和具Ｚは、ケーブルを収納および固定させるのに適した可撓性クランプ８および８’の配置によって形成される。この配置は、スイッチハウジング１２の中心軸Ｍに関して対称である。したがって、ケーブルは、張力緩和具Ｚから接続端末１７まで延びており、これらは、固定手段、通常はネジによって固定される。できるだけ「たわみなく」、カバー１３のケーブル供給口７から張力緩和具Ｚまで、また、そこから接続端末１７までケーブルをガイドするように、前述したエレメントは、スイッチハウジング１２の中心軸Ｍ方向に連続して配置される。
【００２３】
図３に係る概略分解図において、プリント基板１６は、スイッチハウジング１２、特に表面Ｏ上に設けられた状態で図示されている。スイッチハウジング１２は、（２つの）スイッチハウジング端部１８それぞれにスイッチハウジング戻り止め部１９を有する。スイッチハウジング戻り止め部１９は、外側、すなわち、対応するスイッチハウジング端部１８から離れる方向に突出する複数の（具体的には７つの）スイッチハウジング戻り止め歯２０を備える。本願の例示的な実施例において、スイッチハウジング戻り止め歯２０の数（具体的には７つ）は、スイッチプランジャの機能または移動経路に適合している。その他のプランジャの機能により、スイッチハウジング戻り止め歯２０の数は増加してもよく、または、（スイッチハウジング戻り止め歯の数は必ずしも増加させずに）より細かい戻り止め距離が設けられてもよい。
【００２４】
プリント基板１６用保護スリーブの２分割による設計、具体的には、一方のスイッチハウジング１２と、もう一方のカバー１３とにより、作業者が確実に保護され、また同時に、プリント基板に容易にアクセスすることが可能である。カバーは、作業者を十分に保護することが目的である。カバー１３のケーブル供給口７は、張力緩和を向上させるための接続線用ホルダーとして、張力緩和具Ｚのクランプ８および８’と共に用いることができる。ここで、電気遮断分類ＩＩの必要要件が満たされる。概して、作業者（熟練者）は、スイッチギアキャビネットが開いたときの接触事故から保護されるべきである。
【００２５】
カバー１３を取り外すために、カバー１３には、戻り止めピン２１が設けられている。戻り止めピン２１は、スイッチハウジング１２内の相補的な凹部に挿入することができる（逆に、カバー１３内の凹部との接続用戻り止めピン２１を、スイッチハウジング１２に設けてもよい）。  
【００２６】
（２つの）ベースプレート戻り止め部２４のベースプレート戻り止め歯２３が係合するスイッチハウジング凹部２２は、スイッチハウジング１２のスイッチハウジング戻り止め歯２０の間に設けられる。各ベースプレート戻り止め部２４は、対応するベースプレート端部２６に（旋回軸２７を中心に）枢動可能に設けられる戻り止めレバー２５を備える。図１〜３において、戻り止めレバー２５は、スイッチハウジング戻り止め部１９にラッチされていない位置にある。（所定の位置において、）戻り止めレバー２５が、スイッチハウジング１２方向の内側に押される場合、ベースプレート戻り止め歯２３は、スイッチハウジング戻り止め歯２０と係合し、係止操作が行われる。
【００２７】
このように、本発明における「ラッチ」という用語は、戻り止めレバー２５またはベースプレート戻り止め歯２３、およびスイッチハウジング戻り止め歯２０を係止またはインターロックすることを意味する。すなわち、ベースプレート戻り止め歯２３は、力によって、スイッチハウジング凹部２２に保持される。したがって、ベースプレート戻り止め歯２３とスイッチハウジング凹部２２との間には圧力ばめ接続が存在する。ベースプレート戻り止め歯２３またはスイッチハウジング戻り止め歯２０は、対応する力によって接続が解除されるまで圧力ばめが存在するように、関連する開口部（ベースプレート凹部またはスイッチハウジング凹部）よりも少し大きいのが好ましい。
【００２８】
好ましい展開において、スイッチハウジング凹部２２は、下部が切り取られている。したがって、ベースプレート凹部２８も、ベースプレート戻り止め歯２３の間において下部が切り取られて形成されている。  
【００２９】
図４に係る概略分解図において、ベースプレート１０、ならびに、スイッチプランジャ１１と、スイッチハウジング１２と、カバー１３と、を備え、当該ベースプレート１０から分離されたユニットが拡大して示されている。ベースプレート１０は、２つのレール２９を備える。レール２９は、（各スイッチハウジング端部１８に設けられる）突出部３０が当該レール２９を滑動することができるように、スイッチハウジングの（細長の）当該突出部３０を収納するために設けられている。したがって、レール２９は、断面がＵ字状である。Ｕ字状のスライドレールをスイッチハウジング１２に設け、それに応じて、スライドレールがベースプレートに設けられた突出部と協働するという逆の状態も考えられる。同時に、スイッチハウジング１２の突出部３０は、スイッチハウジングの端部１８を画定する。
【００３０】
戻り止めレバー２５は、各戻り止めレバー２５が各レール２９の一部分を形成するように、各レール２９領域内に設けられている。ここで、ベースプレート戻り止め歯２３は、対応するスライドレール２９のＵ字状断面の底部に配置される。
【００３１】
ベースプレート１０は、ベースプレート位置決め部３１を（開口部または穴の形態で）備える。スイッチハウジング１２の下側３２に設けられる少なくともひとつの突出部（図示せず）は、戻り止めレバー２５上に圧力を加えることによって実際のラッチングが行われる前に事前位置決めを行うことができるように、前記ベースプレート位置決め部３１に係合することができる。ベースプレート位置決め部の数は、（本実例のように）スイッチハウジング１２の戻り止め歯２０の数に対応することが好ましい。しかし、それぞれの数は、互いに異なっていてもよい。ベースプレート１０は、装置（例えば、スイッチギアキャビネット）内にベースプレートを組み立てるための孔（溝）３３を有する。溝としての設計により、位置決めは、より可変的な方法で行われてもよい。接触式のドアスイッチの組立ておよび調整を以下説明する。原則として、スイッチプランジャ１１には、ベースプレート位置決め部３１を有するベースプレート１０より容易にアクセスすることができる。このことは、スイッチプランジャに圧力が加わると、スイッチプランジャがまず移動し、また、ベースプレート１０は、スイッチハウジング１２に対して位置を保持する、ことを意味する。ドアスイッチは、孔３３（溝）を通じて最初に固定される。この時点で、ベースプレート１０の戻り止め位置は、前面に対して右側である（図示していないが、ハーフハウジング１２の下側３２上の突出部は、プランジャ１１の停止位置に最も近いベースプレート位置決め部３１内で静止する）。（接触式のドアスイッチを調整するために）ドアが最初に閉められると、より容易にアクセスすることができるスイッチプランジャ１１がまず移動し、その後、ベースプレート１０は、（プランジャの移動が完了した後で）スイッチハウジング１２に対して目標位置まで移動する。この目標位置において、戻り止めレバー２５によって設定がロックされる。
【００３２】
図５において、戻り止めレバー２５（図４において、より低い位置にある戻り止めレバー）は、特に、戻り止めレバー２５の内側３４が拡大側面図で示されている。図５から推測できるように、戻り止め歯２３は、戻り止めレバー２５の幅３５全体には及んでいない。特に、スイッチハウジング１２の方向を向いているひとつの端部３６は、スイッチハウジング１２の方向を向いているスイッチレバー端部３７から離れている。したがって、スイッチレバー２５は、係止を解除するために、ベースプレート１０のレール２９から非常に簡単に押し出すことができる。全体的に、ベースプレート戻り止め歯２３は、スイッチハウジングの戻り止め歯２０よりも（ベースプレート１０に対して垂直方向に）長い。したがって、確実なラッチングが保証される。
【００３３】
図６〜９は、改良された張力緩和具Ｚ’を有する発明に係る、更なる接触式のドアスイッチを示している。張力緩和具Ｚ’は、ある領域におけるスイッチハウジング１２の表面Ｏ、特に、スイッチプランジャ１１の反対側にあるスイッチハウジング１２の端部に再び設けられている。図６において、カバー１３は、張力緩和具Ｚ’が当該カバー１３の下に配置されていることがわかるように、透明に描かれている。張力緩和具Ｚ’は、図示されているように、スイッチハウジング１２の中心軸Ｍに垂直な軸Ａに関して対称に配置されているのが好ましいことは明らかである。張力緩和具Ｚ’は、本体部３８を備える。本体部３８は、スイッチハウジング１２の表面Ｏに接続されてもよく、または、それと一体に形成されてもよい。したがって、本体部は、スイッチハウジングの一部であってもよい。本体部３８は、軸Ａに関して対称であるのが好ましく、張力緩和具Ｚ’にケーブルまたは配線を支持させるのに用いられる。
【００３４】
張力緩和具Ｚ’は、固定手段４１、特にネジを収納する中央の貫通開口部４０を有するロッカー素子３９を更に備える。固定手段４１は、貫通開口部４０を貫通し、本体部３８内の対応する開口部と係合する。このように、固定手段４１は、本体部３８を通る軸Ａに沿ってずらすことができ、特にねじ込むことができ、これによって、ロッカー素子３９は、本体部３８方向に動かされる。固定手段４１の縦軸は、軸Ａと一致するのが好ましい。
【００３５】
ロッカー素子３９は、実質的に伸長しており、また、スイッチハウジング１２の中心軸Ｍに対して横方向、すなわち、スイッチハウジングの幅方向に伸びている。ロッカー部３９ａおよび３９ｂは、本体部３８を向いている側面で丸みを帯び、また、本体部３８方向に丸みを帯びており、貫通開口部４０の両側面上に伸びている。ロッカー部３９ａ，３９ｂと本体部３８との間の空間は、カバー１３内のケーブル供給口７から張力緩和具Ｚ’までを貫通するケーブルを収納、装着、および固定するのに用いられる。これらは、広範囲の太さのケーブルシースにおけるケーブルまたは多心ケーブル（配線）であってもよい。したがって、ケーブル供給口７および張力緩和具Ｚ’は、ロッカー部３９ａ，３９ｂと本体部３８との間の空間がケーブル供給口７と一致するように、対向して配置されている。本実施例においては、２つのロッカー部３９ａ，３９ｂと実質的に一致する２つのケーブル供給口７が設けられている。したがって、少なくとも２つのケーブルまたは配線が、接触式のドアスイッチに挿入可能である。固定された状態、すなわち、「張力緩和」状態においては、固定手段４１は、ロッカー部３９ａ，３９ｂがケーブルシース上で静止するように締められる。
【００３６】
張力緩和具Ｚ’は、ロッカー素子３９が旋回点の回りを枢動可能に追加的に設けられているので、特に効果的である。旋回点は、固定手段４１の縦軸上にあり、したがって、軸Ａ上にもある。特に、スイッチハウジング１２の表面Ｏにおいて、垂直に位置し、且つ、スイッチハウジング１２の中心軸Ｍに対して垂直に位置している平面内で、ロッカー素子３９は枢動可能（以下、「枢動平面」）に設けられる。図７より明らかなように、ロッカー素子は、固定手段が解除された場合、矢印４３および４４方向に枢動可能に設けられ、したがって、言わば「係止」することができる。これは、かなり異なる太さのケーブルを、スイッチハウジング１２に挿入し、また、張力緩和具Ｚ’内に固定することができるという効果につながる。なぜなら、ロッカー部３９ａ，３９ｂと本体部３８との間の空間は、各ケーブルに個々に適合するからである。言い換えれば、ロッカー素子３９が、例えば、矢印４３の方向に枢動する場合、ロッカー部３９ａと本体部３８との間の空間は、より小さくなり、その結果、より細いケーブルを空間内に設け、また、固定することができる。したがって、実例として、ロッカー部３９ａは、細いケーブルと協働することができる。その一方で、ロッカー部３９ｂは、例えば、０．８〜１．００ｃｍの非常に太いケーブルと協働する。張力緩和具Ｚ’は、太さが同じ２つケーブルまたは細さが同じ２つのケーブルを固定するために用いることもできる、ということは言うまでもない。この場合、係止または旋回運動は必要ない。
【００３７】
ロッカー素子３９を枢動可能に設けるために、ロッカー素子３９に形成された貫通開口部４０は、それに応じて形成されなければならない。したがって、貫通開口部４０は、旋回運動が一定の限度内において問題なく行われることができるように、固定手段４１よりも大きい（少なくとも枢動方向４３、４４における）直径を有するのが好ましい。実例として、貫通開口部４０の円錐形状の設計も考えられる。枢動平面におけるロッカー素子３９の旋回運動は、使用されるケーブルに応じて自己調整する。ケーブル領域内のロッカー部３９ａ，３９ｂの凸状丸み部ｋＡにより、ロッカー部のケーブルとの最適な適合およびロッカー部のケーブルに対する支えがさらに可能となり、ケーブルの損傷が避けられる。また、ロッカー素子３９は、（軸Ａ方向の）凸状丸み部の反対側の凹状くぼみ部ｋＥを備える。言い換えると、各ロッカー部３９ａ，３９ｂは、軸Ａ方向について、片側に（弧状の）くぼみを有し、反対側に（弧状の）突出部を有する。したがって、各ロッカー部３９ａ，３９ｂは、全体的に曲がっている。くぼみｋＥの屈曲の半径は、凸状丸み部の屈曲の半径に対応するのが好ましい。中心軸Ｍ方向の各曲面の厚さは、ケーブルの確実な張力緩和のための十分な支え面が提供されるような厚さであるのが好ましい。図７に示される組立て状態において、ロッカー素子３９は、凸状丸み部が本体部３８上で静止しているケーブルを向くように、本体部３８に対して配置される。一方で、ロッカー素子３９は、凹状くぼみ部ｋＥがロッカー素子３９の第２の組立て状態でケーブルを向くように、矢印４３または４４方向に１８０度回転することができる。ロッカー素子３９は、固定手段４１を取り外すことで、ひとつの組立て状態から別の組立て状態に容易に移すことができる。
【００３８】
凹状くぼみ部ｋＥは、特に、太いケーブルを収納するのに用いられる。くぼみ内には、太いケーブルを収納するためのより多くの空間がある。その一方で、凸状丸み部は、より細いケーブルのための最適な固定を確実にする。また、ロッカー部３９ａ，３９ｂを、軸Ａに対するミラーイメージにおいてではなく、中心部において対称的に形成することが考えられる。したがって、この場合、一方のロッカー部３９ａは、例えば、本体部３８を向いている、より太いケーブル用のくぼみを有してもよく、また、他方のロッカー部３９ｂは、同一の組立て状態において、本体部３８を向いている、細いケーブル用の凸状丸み部を有してもよい。また、細いおよび／または太い多くの個々のケーブル、すなわち、特に３つ以上のケーブルが張力緩和具Ｚ’にガイドされるように、多くの丸み部および／またはくぼみ、および／または、並んで結合されたくぼみと丸み部も原則として考えられる。したがって、特に２つ以上のケーブルまたは２つ以上の配線をロッカー部３９ａ，３９ｂによって固定することが考えられる。
【００３９】
枢動平面における旋回運動をガイドするために、各ロッカー部３９ａ，３９ｂは、当該ロッカー部３９ａ，３９ｂにおける貫通開口部４０の反対側を向いている側面上に、本体部３８のガイドピン４６が係合するガイド溝４５を有する。ここで、ガイド溝４５は、旋回運動がなお容易に可能であるように十分に深くなければならない。ガイドピン４６は、その一部が、本体部３９、特にスイッチハウジング１２に接続されているのが好ましい。固定手段４１が本体部３８から十分遠い位置まで移動されると、特にねじ込みが解除されると、ロッカー素子３９は、軸Ａの回りを１８０度さらに回転することができる。図１〜５に示されている張力緩和具Ｚとは対照的に、図１〜６に係る張力緩和具Ｚ’は、ケーブルの張力緩和がカバー１３におけるケーブル供給口７とクランプ８，８’との連携によってはもはや達成される必要がない、という効果を有する。これは、使用可能なケーブルの太さは、ケーブル供給口７の直径、およびクランプ８，８’によって収納され得る最大限の太さに固定される、ということを意味する。また、ここでは、同一の太さを有する２つのケーブルのみを収納することができる。対照的に、図１〜６に示されている張力緩和具Ｚ’を用いて、どんな太さのケーブルであっても、また、どんな組み合わせであっても、カバー１３を通してスイッチハウジング１２に挿入することができる。ロッカー素子３９の係止、または枢動可能な装着により、張力緩和具Ｚ’は、使用されるケーブルの異なる直径に容易に適合することができる。したがって、張力緩和具Ｚ’は、全体として非常に効果的である。
【符号の説明】
【００４０】
７    ケーブル供給口          
８，８’  クランプ
１０    ベースプレート  
１１    スイッチプランジャ
１２   スイッチハウジング
１３   カバー
１４   バネ
１５   近接スイッチ
１６   プリント基板
１７   接触部（接続端末）
１８   スイッチハウジング端部
１９   スイッチハウジング戻り止め部
２０   スイッチハウジング戻り止め歯
２１   戻り止めピン
２２   スイッチハウジング凹部
２３   ベースプレート戻り止め歯
２４   ベースプレート戻り止め部
２５   戻り止めレバー
２６   ベースプレート端部
２７   旋回軸
２８   ベースプレート凹部
２９   レール（スライドレール）
３０   突出部
３１   ベースプレート位置決め部
３２   （スイッチハウジングの）下側
３３   穴
３４   （戻り止めレバーの）内側
３５   （戻り止めレバーの）幅
３６   （ベースプレート戻り止め歯の）端部
３７   戻り止めレバー端部
３８   本体部
３９   ロッカー素子
３９ａ，３９ｂ   ロッカー部
４０   貫通開口部
４１   固定手段
４３   矢印（枢動方向）
４４   矢印（枢動方向）  
４５   ガイド溝
４６   ガイドピン
Ｚ，Ｚ’ 張力緩和具
Ｏ   表面
Ｍ   中心軸
Ａ   軸
ｋＡ   凸状丸み部
ｋＥ   凹状くぼみ部
【図１】
2015534249.tif 000003
【図２】
2015534249.tif 000004
【図３】
2015534249.tif 000005
【図４】
2015534249.tif 000006
【図５】
2015534249.tif 000007
【図６】
2015534249.tif 000008
【図７】
2015534249.tif 000009
【図８】
2015534249.tif 000010
【図９】
2015534249.tif 000011
【国際調査報告】
2015534249.tif 000012
2015534249.tif 000013
2015534249.tif 000014
2015534249.tif 000015
2015534249.tif 000016
2015534249.tif 000017